(57)【要約】【課題】カード受領に関する制約を低減するとともに、与信が可能となるまでの時間を短縮するカード発行システムを提供する。【解決手段】カード発行システム１のカード有効化装置２０は、携帯電話１０から申込情報を受信して申込番号を生成し携帯電話１０に送信するとともに、申込番号を含む店舗用データを生成して店舗端末３０の店舗側ＤＢ３１に送信し、申込番号と２次元コードを関連付けて記憶装置２３に格納する。カード４１と２次元コード４２を有するカードパッケージ４０を店舗に配送する。利用者は店舗操作端末３２に申込番号を入力してレシート３４を取得し、店舗管理端末３３がバーコード３４Ａを読み取ってカードパッケージ４０の情報を表示する。表示に基づいてカードパッケージ４０が交付され、利用者は２次元コード４２を携帯電話１０で読み取り送信する。カード有効化装置２０は、受信した２次元コードに対応するカード４１を有効化する。【選択図】図１
2009146170.tif 000002
【特許請求の範囲】
【請求項１】
利用者が操作する利用者端末と、前記利用者端末からの申込情報を受信して申込番号を発行し、前記利用者端末に送信するカード有効化装置と、前記カード有効化装置から申込番号を含む店舗用申込情報が送信される店舗端末と、前記店舗端末に格納された申込番号に応じて交付されるカードパッケージとを備え、前記利用者端末から前記カード有効化装置に送信された２次元コードによりカードを有効状態とするカード発行システムが実行するカード発行方法であって、
前記カード有効化装置は、前記利用者端末および前記店舗端末とネットワークを介して通信を行う通信装置と、与えられたプログラムに従い各処理を行う処理装置と、カードデータベースを格納する記憶装置とを備え、
前記店舗端末は、店舗用申込情報を格納する記憶部を備え、
前記カードパッケージは、カード番号が表示された無効状態のカードと、当該カード番号に固有の２次元コードとを備え、
前記カードデータベースは、申込情報、申込番号、カード番号、２次元コードおよびカードが有効状態であるか無効状態であるかを示すカード状態情報を関連付けて格納するように構成され、
前記処理装置が、
前記利用者端末から送信された申込情報を受信するステップと、
申込情報に対応する申込番号を生成し、申込情報と関連付けて前記記憶装置に記憶させるステップと、
申込番号を、前記通信装置を介して前記利用者端末に送信するステップと、
申込番号を含む店舗用申込情報を生成し、前記通信装置を介して前記店舗端末に送信するステップと、
２次元コードを取得し、当該２次元コードと申込番号とを関連付けて前記記憶装置に記憶させるステップと、
利用者が前記店舗端末の記憶部に格納された申込番号に対応する前記カードパッケージを受領して２次元コードを前記利用者端末の読取部で読み取って送信した場合、当該２次元コードを受信するステップと、
受信した２次元コードに対応する前記カードデータベース中のカード状態情報を有効状態に書き換えるステップとを実行することを特徴とするカード発行方法。
【請求項２】
利用者が操作する利用者端末と、
前記利用者端末からの申込情報を受信して申込番号を発行し、前記利用者端末に送信するカード有効化装置と、
前記カード有効化装置から申込番号を含む店舗用申込情報が送信される店舗端末と、
前記店舗端末に格納された申込番号に応じて交付されるカードパッケージとを備え、
前記利用者端末から前記カード有効化装置に送信された２次元コードによりカードを有効状態とするカード発行システムであって、
前記利用者端末は、申込情報を入力する入力部と、前記カード有効化装置とネットワークを介して通信を行う通信部と、２次元コードを読み取る読取部とを備え、
前記カード有効化装置は、前記利用者端末および前記店舗端末とネットワークを介して通信を行う通信装置と、与えられたプログラムに従い各処理を行う処理装置と、カードデータベースを格納する記憶装置とを備え、
前記店舗端末は、店舗用申込情報を格納する記憶部を備え、
前記カードパッケージは、カード番号が表示された無効状態のカードと、当該カード番号に固有の２次元コードとを備え、
前記カードデータベースは、申込情報、申込番号、カード番号、２次元コードおよびカードが有効状態であるか無効状態であるかを示すカード状態情報を関連付けて格納するように構成され、
前記処理装置は、
前記利用者端末の前記入力部で入力され、前記通信部を介して送信された申込情報を受信する手段と、
申込情報に対応する申込番号を生成し、申込情報と関連付けて前記記憶装置に記憶させる手段と、
申込番号を、前記通信装置を介して前記利用者端末に送信する手段と、
申込番号を含む店舗用申込情報を生成し、前記通信装置を介して前記店舗端末に送信する手段と、
２次元コードを取得し、当該２次元コードと申込番号とを関連付けて前記記憶装置に記憶させる手段と、
利用者が前記店舗端末の記憶部に格納された申込番号に対応する前記カードパッケージを受領して２次元コードを前記利用者端末の読取部で読み取って送信した場合、当該２次元コードを受信する手段と、
受信した２次元コードに対応する前記カードデータベース中のカード状態情報を有効状態に書き換える手段とを備えることを特徴とするカード発行システム。
【請求項３】
前記処理装置は、
申込番号に対応する識別コードデータを生成して店舗用申込情報と関連付け、前記通信装置を介して前記店舗端末に送信する手段を備え、
前記店舗端末は、
申込番号を入力する入力部と、入力された申込番号に対応する識別コードデータを記憶部から取得するデータ取得部と、読み取った識別コードデータを識別コードとして印刷する印刷部とを有する店舗操作端末と、
印刷された識別コードを読み取る読取部と、読み取った識別コードに対応する申込番号に関連付けられた２次元コードを持つカードパッケージの情報を表示する表示部とを有する店舗管理端末とを備えることを特徴とする請求項２に記載のカード発行システム。
【請求項４】
前記処理装置は、
申込番号に対応する識別コードデータを生成する手段と、
生成した識別コードデータを前記通信装置を介して前記利用者端末に送信する手段と、
生成した識別コードデータを店舗用申込情報と関連付け、前記通信装置を介して前記店舗端末に送信する手段とを備え、
前記利用者端末は、
識別コードデータを識別コードとして出力する出力部を備え、
前記店舗端末は、
出力された識別コードを読み取る読取部と、読み取った識別コードに対応する申込番号に関連付けられた２次元コードを持つカードパッケージの情報を表示する表示部とを有する店舗管理端末を備えることを特徴とする請求項２に記載のカード発行システム。
【請求項５】
前記利用者端末は、携帯電話であり、
前記出力部は、前記携帯電話の表示画面であることを特徴とする請求項４に記載のカード発行システム。
【請求項６】
前記利用者端末は、パーソナルコンピュータであり、
前記出力部は、前記パーソナルコンピュータに接続されたプリンタであることを特徴とする請求項４に記載のカード発行システム。
【請求項７】
前記処理装置は、
申込情報に基づいて与信が可能であるか否かを審査する手段を備え、
与信が可能である場合に、申込番号を生成することを特徴とする請求項２から請求項６のいずれか１項に記載のカード発行システム。
【請求項８】
前記利用者端末は、
身分証明書の画像データを作成する画像作成部を備え、
前記処理装置は、
前記利用者端末の画像作成部で作成され、前記通信部を介して送信された身分証明書の画像データを受信する手段と、
身分証明書の画像データから所定の情報を抽出し、申込情報と関連付けて前記記憶装置に記憶させる手段と、
所定の情報と申込情報の少なくとも一部とを照合する手段とを備え、
所定の情報と申込情報の少なくとも一部とが一致した場合に、申込番号を生成することを特徴とする請求項２から請求項７のいずれか１項に記載のカード発行システム。
【請求項９】
利用者が操作する利用者端末およびカードを交付する店舗に設置された店舗端末と通信を行い、前記利用者端末からの２次元コードの送信に応じてカードを有効化するカード有効化装置であって、
前記利用者端末および前記店舗端末とネットワークを介して通信を行う通信装置と、与えられたプログラムに従い各処理を行う処理装置と、カードデータベースを格納する記憶装置とを備え、
前記カードデータベースは、申込情報、申込番号、カード番号、２次元コードおよびカードが有効状態であるか無効状態であるかを示すカード状態情報を関連付けて格納するように構成され、
前記処理装置は、
前記利用者端末から送信された申込情報に応じて申込番号を生成し、申込情報と関連付けて前記記憶装置に記憶させる手段と、
申込番号を、前記通信装置を介して前記利用者端末に送信する手段と、
申込番号を含む店舗用申込情報を生成し、前記通信装置を介して前記店舗端末に送信する手段と、
２次元コードを取得し、当該２次元コードと申込番号とを関連付けて前記記憶装置に記憶させる手段と、
利用者が、前記店舗端末に格納された申込番号に対応する２次元コードと当該２次元コードに対応するカード番号が表示された無効状態のカードとを有するカードパッケージを受領して２次元コードを前記利用者端末で読み取って送信した場合、当該２次元コードを受信する手段と、
受信した２次元コードに対応する前記カードデータベース中のカード状態情報を有効状態に書き換える手段とを備えることを特徴とするカード有効化装置。
【発明の詳細な説明】
【技術分野】
【０００１】
本発明は、無効状態のカードを現金自動預払機（ＡＴＭ）などで使用可能な有効状態とするカード発行方法、カード発行システムおよびカード有効化装置に関する。
【背景技術】
【０００２】
一般に、ローンカード契約やクレジットカード契約などのカード契約（以下、カード契約という）においては、オンラインでの審査（予備審査）が可能になったことから、与信が可能であるか否かの結果が迅速に通知できるようになった。しかしながら、パーソナルコンピュータや携帯電話を使用して申し込んだ場合、ＡＴＭなどで利用するカードは、書留郵便で送付されることが多く、日中不在がちな利用者は、休日配達や休日に受け取りに行く必要があるので、実際に受領するまでにさらに数日かかっていた。すなわち、審査の迅速化が図られても、カードの受領に日数を要するので、実際に与信を受けることができるまでに時間がかかるという問題があった。オンラインで申し込む場合の他の手段として、店舗に設置されたカード発行機能を有するカード発行申込端末（例えば、特許文献１参照）を利用する方法もある。
【特許文献１】特開２００４−５４５４３号公報
【発明の開示】
【発明が解決しようとする課題】
【０００３】
しかしながら、このようなカード発行申込端末は、利用可能時間内に店舗に来店できない利用者は利用することができないという問題があった。さらに、ローンカード事業者やクレジットカード事業者などのカード事業者（以下、カード事業者という）にとっては、店舗を開設したり、借りたりして、カード発行申込端末を設置するには初期のコスト負担が過剰となる場合がある。
【０００４】
そこで、本発明は、利用者にとっては、カード受領に関する制約を低減するとともに、与信が可能となるまでの時間を短縮することができ、カード事業者にとっては、設備にかかる負担を小さくすることができるカード発行方法、カード発行システムおよびカード有効化装置を提供することを目的とする。
【課題を解決するための手段】
【０００５】
前記した目的を達成するため、本発明は、利用者が操作する利用者端末と、前記利用者端末からの申込情報を受信して申込番号を発行し、前記利用者端末に送信するカード有効化装置と、前記カード有効化装置から申込番号を含む店舗用申込情報が送信される店舗端末と、前記店舗端末に格納された申込番号に応じて交付されるカードパッケージとを備え、前記利用者端末から前記カード有効化装置に送信された２次元コードによりカードを有効状態とするカード発行システムが実行するカード発行方法であって、前記カード有効化装置は、前記利用者端末および前記店舗端末とネットワークを介して通信を行う通信装置と、与えられたプログラムに従い各処理を行う処理装置と、カードデータベースを格納する記憶装置とを備え、前記店舗端末は、店舗用申込情報を格納する記憶部を備え、前記カードパッケージは、カード番号が表示された無効状態のカードと、当該カード番号に固有の２次元コードとを備え、前記カードデータベースは、申込情報、申込番号、カード番号、２次元コードおよびカードが有効状態であるか無効状態であるかを示すカード状態情報を関連付けて格納するように構成され、前記処理装置が、前記利用者端末から送信された申込情報を受信するステップと、申込情報に対応する申込番号を生成し、申込情報と関連付けて前記記憶装置に記憶させるステップと、申込番号を、前記通信装置を介して前記利用者端末に送信するステップと、申込番号を含む店舗用申込情報を生成し、前記通信装置を介して前記店舗端末に送信するステップと、２次元コードを取得し、当該２次元コードと申込番号とを関連付けて前記記憶装置に記憶させるステップと、利用者が前記店舗端末の記憶部に格納された申込番号に対応する前記カードパッケージを受領して２次元コードを前記利用者端末の読取部で読み取って送信した場合、当該２次元コードを受信するステップと、受信した２次元コードに対応する前記カードデータベース中のカード状態情報を有効状態に書き換えるステップとを実行することを特徴とする。
【０００６】
また、本発明は、利用者が操作する利用者端末と、前記利用者端末からの申込情報を受信して申込番号を発行し、前記利用者端末に送信するカード有効化装置と、前記カード有効化装置から申込番号を含む店舗用申込情報が送信される店舗端末と、前記店舗端末に格納された申込番号に応じて交付されるカードパッケージとを備え、前記利用者端末から前記カード有効化装置に送信された２次元コードによりカードを有効状態とするカード発行システムであって、前記利用者端末は、申込情報を入力する入力部と、前記カード有効化装置とネットワークを介して通信を行う通信部と、２次元コードを読み取る読取部とを備え、前記カード有効化装置は、前記利用者端末および前記店舗端末とネットワークを介して通信を行う通信装置と、与えられたプログラムに従い各処理を行う処理装置と、カードデータベースを格納する記憶装置とを備え、前記店舗端末は、店舗用申込情報を格納する記憶部を備え、前記カードパッケージは、カード番号が表示された無効状態のカードと、当該カード番号に固有の２次元コードとを備え、前記カードデータベースは、申込情報、申込番号、カード番号、２次元コードおよびカードが有効状態であるか無効状態であるかを示すカード状態情報を関連付けて格納するように構成され、前記処理装置は、前記利用者端末の前記入力部で入力され、前記通信部を介して送信された申込情報を受信する手段と、申込情報に対応する申込番号を生成し、申込情報と関連付けて前記記憶装置に記憶させる手段と、申込番号を、前記通信装置を介して前記利用者端末に送信する手段と、申込番号を含む店舗用申込情報を生成し、前記通信装置を介して前記店舗端末に送信する手段と、２次元コードを取得し、当該２次元コードと申込番号とを関連付けて前記記憶装置に記憶させる手段と、利用者が前記店舗端末の記憶部に格納された申込番号に対応する前記カードパッケージを受領して２次元コードを前記利用者端末の読取部で読み取って送信した場合、当該２次元コードを受信する手段と、受信した２次元コードに対応する前記カードデータベース中のカード状態情報を有効状態に書き換える手段とを備えることを特徴とする。
【０００７】
このようなカード発行方法およびカード発行システムによれば、利用者端末には申込番号を送信するだけで済み、カードパッケージは、例えば、２４時間営業のコンビニエンスストアなどに配送しておくことが可能となる。また、利用者は、カード受領後、２次元コードを読み取って送信することで、カードを有効状態とすることができる。これにより、利用者は都合の良いときにカードを受領することが可能になるとともに、与信が可能となるまでの時間を短縮することができる。さらに、カード事業者は、少なくともカード有効化装置のみを備えればよいので、設備コストを抑制することが可能となる。
【０００８】
また、前記カード発行システムの前記処理装置は、申込番号に対応する識別コードデータを生成して店舗用申込情報と関連付け、前記通信装置を介して前記店舗端末に送信する手段を備え、前記店舗端末は、申込番号を入力する入力部と、入力された申込番号に対応する識別コードデータを記憶部から取得するデータ取得部と、読み取った識別コードデータを識別コードとして印刷する印刷部とを有する店舗操作端末と、印刷された識別コードを読み取る読取部と、読み取った識別コードに対応する申込番号に関連付けられた２次元コードを持つカードパッケージの情報を表示する表示部とを有する店舗管理端末とを備えることができる。
【０００９】
これによれば、店舗操作端末が申込番号の入力により識別コードを印刷することができ、この識別コードを店舗管理端末が読み取ることでカードパッケージの情報を表示するので、利用者は店舗で確実かつ短時間にカードパッケージを受領することができる。
【００１０】
また、前記カード発行システムの前記処理装置は、申込番号に対応する識別コードデータを生成する手段と、生成した識別コードデータを前記通信装置を介して前記利用者端末に送信する手段と、生成した識別コードデータを店舗用申込情報と関連付け、前記通信装置を介して前記店舗端末に送信する手段とを備え、前記利用者端末は、識別コードデータを識別コードとして出力する出力部を備え、前記店舗端末は、出力された識別コードを読み取る読取部と、読み取った識別コードに対応する申込番号に関連付けられた２次元コードを持つカードパッケージの情報を表示する表示部とを有する店舗管理端末を備えることとしてもよい。
【００１１】
これによれば、利用者端末が出力した識別コードを店舗管理端末が読み取ることでカードパッケージの情報を表示するので、利用者は店舗で確実かつさらに短時間にカードパッケージを受領することができる。
【００１２】
前記利用者端末は、携帯電話であり、前記出力部は、前記携帯電話の表示画面であることが望ましい。これによれば、紙などに印刷することなく、識別コードを簡単に出力することができる。また、前記利用者端末は、パーソナルコンピュータであり、前記出力部は、前記パーソナルコンピュータに接続されたプリンタであってもよい。これによれば、識別コードを予め印刷していく持参することができるので、短時間にカードパッケージを受領することができる。
【００１３】
また、前記カード発行システムの前記処理装置は、申込情報に基づいて与信が可能であるか否かを審査する手段を備え、与信が可能である場合に、申込番号を生成することとしてもよい。
【００１４】
これによれば、処理装置が与信の可否の審査を実行することで、審査を迅速に行うことが可能となるので、申込番号の発行までの時間が短縮化され、結果として利用者は短時間にカードパッケージを受領することが可能となる。また、カード事業者にとっては、審査に人員などを必要としないので、設備コストを抑制することが可能となる。
【００１５】
また、前記カード発行システムの前記利用者端末は、身分証明書の画像データを作成する画像作成部を備え、前記処理装置は、前記利用者端末の画像作成部で作成され、前記通信部を介して送信された身分証明書の画像データを受信する手段と、身分証明書の画像データから所定の情報を抽出し、申込情報と関連付けて前記記憶装置に記憶させる手段と、所定の情報と申込情報の少なくとも一部とを照合する手段とを備え、前記処理装置が、所定の情報と申込情報の少なくとも一部とが一致した場合に、申込番号を生成することとしてもよい。
【００１６】
これによれば、利用者の本人確認を行うことができるので、利用者は短時間にカードパッケージを受領することが可能となる。すなわち、本人確認を電話などで行う場合、申し込み時間によってはカード事業者からの電話が翌日以降になったり、利用者が電話に出られなかったりして、本人確認に時間がかかり、結果としてカードの受領に時間がかかってしまう。しかし、受信した画像データで本人確認を行うことで、このような時間を短縮することが可能となる。また、カード事業者にとっては、電話確認のための設備やオペレータなどを必要としないので、設備コストを抑制することが可能となる。
【００１７】
ここで、「所定の情報」とは、例えば、身分証明書に表示されている（画像データに含まれる）利用者の氏名や住所、生年月日などの情報の少なくとも１つをいう。
【００１８】
さらに、本発明は、利用者が操作する利用者端末およびカードを交付する店舗に設置された店舗端末と通信を行い、前記利用者端末からの２次元コードの送信に応じてカードを有効化するカード有効化装置であって、前記利用者端末および前記店舗端末とネットワークを介して通信を行う通信装置と、与えられたプログラムに従い各処理を行う処理装置と、カードデータベースを格納する記憶装置とを備え、前記カードデータベースは、申込情報、申込番号、カード番号、２次元コードおよびカードが有効状態であるか無効状態であるかを示すカード状態情報を関連付けて格納するように構成され、前記処理装置は、前記利用者端末から送信された申込情報に応じて申込番号を生成し、申込情報と関連付けて前記記憶装置に記憶させる手段と、申込番号を、前記通信装置を介して前記利用者端末に送信する手段と、申込番号を含む店舗用申込情報を生成し、前記通信装置を介して前記店舗端末に送信する手段と、２次元コードを取得し、当該２次元コードと申込番号とを関連付けて前記記憶装置に記憶させる手段と、利用者が、前記店舗端末に格納された申込番号に対応する２次元コードと当該２次元コードに対応するカード番号が表示された無効状態のカードとを有するカードパッケージを受領して２次元コードを前記利用者端末で読み取って送信した場合、当該２次元コードを受信する手段と、受信した２次元コードに対応する前記カードデータベース中のカード状態情報を有効状態に書き換える手段とを備えることを特徴とする。
【００１９】
このようなカード有効化装置によれば、利用者端末に申込番号を送信するので、カードパッケージは、例えば、２４時間営業のコンビニエンスストアなどに配送しておくことが可能となる。また、カードを受領した利用者が、２次元コードを読み取って送信することで、カードを有効状態とすることができる。これにより、利用者は都合の良いときにカードを受領することが可能になるとともに、与信が可能となるまでの時間を短縮することができる。さらに、店舗（窓口）を特別に設ける必要やカード発行機能を備える必要がないので、カード事業者は設備コストを抑制することができる。
【発明の効果】
【００２０】
本発明によれば、カード受領に関する制約を低減することができるとともに、与信が可能となるまでの時間を従来より短縮することができる。カード事業者は、少なくともカード有効化装置だけを備えればよいので、設備にかかる負担を小さくすることができる。
【発明を実施するための最良の形態】
【００２１】
［カード発行システム］
次に、本発明の実施形態について、適宜図面を参照しながら詳細に説明する。参照する図面において、図１は一実施形態に係るカード発行システムの構成を示す図である。
【００２２】
図１に示すように、本実施形態のカード発行システム１は、利用者が操作する携帯電話１０（利用者端末）と、携帯電話１０からの申込情報を受信して申込番号を発行し、携帯電話１０に送信するカード有効化装置２０と、カード有効化装置２０から申込番号を含む店舗用申込情報などが送信される店舗端末３０と、店舗端末３０に格納された申込番号に応じて交付されるカードパッケージ４０とから主に構成されている。また、カード有効化装置２０は、専用のネットワークＮ３を介してＡＴＭ５０と接続されている。
【００２３】
＜携帯電話＞
図２は利用者端末の一例である携帯電話の構成を示す図である。
【００２４】
携帯電話１０は、本発明の利用者端末の一例であり、図２に示すように、ＣＰＵ(Central Processing Unit)からなる処理部１１と、処理部１１で実行されるプログラムなどを格納する記憶部１２と、ネットワークＮ１（図１参照）と通信を行う通信部１３と、出力部の一例である液晶ディスプレイ１４（表示画面）と、入力部の一例である入力キー１５と、読取部および画像作成部の一例であるカメラ１６とから主に構成されている。
【００２５】
この携帯電話１０は、利用者の操作により、図示しないウェブサーバにアクセスしてカード契約の申込画面を液晶ディスプレイ１４に表示する。そして、入力キー１５により申込画面の申込情報入力フォームに必要な事項（氏名と住所を含む）が入力され、通信部１３およびネットワークＮ１を介して申込情報をカード有効化装置２０に送信することができる。
【００２６】
ここで、「申込情報」とは、カード契約を締結する上で一般的に要求される情報をいい、例えば、利用者の氏名、住所、生年月日、性別、勤務先の情報、収入情報、借入額などである。なお、図示はしないが、本実施形態の申込画面の申込情報入力フォームは、少なくとも氏名および住所の入力欄を備えている。
【００２７】
また、携帯電話１０は、利用者の操作により、カメラ１６で身分証明書（例えば、免許証など）の写真と住所を含む部分を撮影して画像データを作成し、通信部１３およびネットワークＮ１を介して画像データをカード有効化装置２０に送信することができる。
【００２８】
さらに、携帯電話１０は、利用者の操作により、カメラ１６で２次元コード（例えば、ＱＲコード（登録商標）など）を読み取り、通信部１３およびネットワークＮ１を介して２次元コード、具体的には、２次元コードに含まれる所定の番号をカード有効化装置２０に送信することができる。
【００２９】
＜カード有効化装置＞
図３はカード有効化装置の構成を示す図である。
【００３０】
図３に示すように、カード有効化装置２０は、ネットワークＮ１〜Ｎ３（図１参照）と通信を行う通信装置２１と、ＣＰＵからなる処理装置２２と、ハードディスクなどの外部記憶装置からなる記憶装置２３とから主に構成されている。
【００３１】
通信装置２１は、処理装置２２からの命令に従い、ネットワークＮ１〜Ｎ３を介して携帯電話１０や店舗端末３０などと通信を行う装置である。本実施形態において、後述する受信手段２２Ａおよび送信手段２２Ｂは、この通信装置２１を介して、携帯電話１０や店舗端末３０などと情報の受信および送信を行っている。
【００３２】
処理装置２２は、与えられたプログラムに従い、情報の読み込み、演算、記憶などを行って、データの検索、照合、書き換えなどを行う部分である。本実施形態では、受信手段２２Ａ、送信手段２２Ｂ、審査手段２２Ｃ、照合手段２２Ｄ、申込番号生成手段２２Ｅ、店舗用データ生成手段２２Ｆ、２次元コード取得手段２２Ｇおよびカード有効化手段２２Ｈが、それぞれ所定のプログラムに従い、処理装置２２により実行される。
【００３３】
記憶装置２３は、処理装置２２の各手段にそれぞれの処理を実行させるためのプログラム２４や、カードデータベース（以下、カードＤＢという。）２５などを格納している。
【００３４】
図４はカードデータベースの一例を示す図である。
【００３５】
カードＤＢ２５は、利用者の情報とカードの情報を関連付けて管理するためのデータベースである。このカードＤＢ２５には、図４に示すように、申込情報フィールド２５Ａ、証明書住所フィールド２５Ｂ、申込番号フィールド２５Ｃ、２次元コードフィールド２５Ｄ、カード番号フィールド２５Ｅ、カード状態情報フィールド２５Ｆなどが用意されている。各フィールドには、カード有効化装置２０での処理が進行するに従って、順次情報が格納される。
【００３６】
申込情報フィールド２５Ａは、携帯電話１０から送信された申込情報が格納される。この申込情報フィールド２５Ａでは、申込情報を各項目別に格納するフィールド（氏名フィールド２５Ｇ、住所フィールド２５Ｈなど）がさらに用意されている。証明書住所フィールド２５Ｂは、携帯電話１０から送信された画像データに含まれる住所情報が格納される。
【００３７】
申込番号フィールド２５Ｃは、申込情報フィールド２５Ａに格納された申込情報と関連付けられた申込番号が格納される。２次元コードフィールド２５Ｄは、申込番号フィールド２５Ｃに格納された申込番号と関連付けられた２次元コード中に含まれる所定の番号が格納される。カード番号フィールド２５Ｅは、２次元コードフィールド２５Ｄに格納された２次元コード中に含まれる所定の番号に１対１で対応するカード番号が格納される。
【００３８】
カード状態情報フィールド２５Ｆは、カード番号フィールド２５Ｅに格納されたカード番号を有するカードのカード状態情報が格納される。カード状態情報は、カードが無効状態（「０」）であるか、有効状態（「１」）であるかを示す情報である。
【００３９】
ここで、カードが「有効状態である」とは当該カードを利用してＡＴＭ５０で現金の引出しができる状態をいい、カードが「無効状態である」とは当該カードを利用してＡＴＭ５０で現金を引き出すことができない状態をいう。
【００４０】
以下、図３に戻って処理装置２２で実行される各手段について説明する。
【００４１】
受信手段２２Ａは、通信装置２１を介して、携帯電話１０などからの情報を受信する手段である。また、受信手段２２Ａは、必要に応じて、受信した情報を記憶装置２３に格納したり、他の手段に受信した情報を転送したりする。具体的には、携帯電話１０から送信された申込情報を受信して、カードＤＢ２５の申込情報フィールド２５Ａに格納する。また、携帯電話１０から送信された身分証明書の画像データを受信して、公知のＯＣＲ処理などをして画像データから住所情報を抽出し、カードＤＢ２５の証明書住所フィールド２５Ｂに格納する。また、携帯電話１０から送信された２次元コード（２次元コードに含まれる所定の番号）を受信して、カード有効化手段２２Ｈに転送する。
【００４２】
送信手段２２Ｂは、通信装置２１を介して、携帯電話１０や店舗端末３０などに情報を送信する手段である。具体的には、審査手段２２Ｃから通知された審査結果を受け取って携帯電話１０に送信する。また、申込番号生成手段２２Ｅが生成した申込番号を受け取って携帯電話１０に送信する。また、店舗用データ生成手段２２Ｆが生成した店舗用データを受け取って店舗端末３０に送信する。
【００４３】
審査手段２２Ｃは、カードＤＢ２５の申込情報フィールド２５Ａに格納された申込情報を読み出し、これに基づいて信用情報データベース（以下、信用情報ＤＢという。）２６に信用情報照会要求を送信手段２２Ｂを介して送信する。そして、信用情報ＤＢ２６から利用者の信用情報を受信手段２２Ａを介して受信し、信用情報に基づいて申し込みを行った利用者に対して与信が可能であるか否かを審査する手段である。審査手段２２Ｃは、審査結果を送信手段２２Ｂを介して携帯電話１０に送信する。
【００４４】
なお、信用情報ＤＢ２６は、カード有効化装置２０とは別個に設けられた図示しないサーバ装置内にあって、利用者の氏名、住所、借入額、返済状況などの信用情報を格納するものである。このような信用情報ＤＢ２６を有するサーバ装置は、信用情報照会要求を受信して、信用情報ＤＢ２６を照会し、信用情報を送信（提供）する。
【００４５】
照合手段２２Ｄは、カードＤＢ２５の申込情報フィールド２５Ａの住所フィールド２５Ｈに格納された申込時の住所情報と、証明書住所フィールド２５Ｂに格納された身分証明書の住所情報とを読み出して比較・照合する手段である。照合手段２２Ｄは、照合の結果、申込時の住所情報と身分証明書の住所情報とが一致すれば、その旨を申込番号生成手段２２Ｅに送信する。
【００４６】
一方、申込時の住所情報と身分証明書の住所情報とが不一致であれば、送信手段２２Ｂを介して携帯電話１０に送信する。この場合、携帯電話１０の液晶ディスプレイ１４にエラーメッセージなどを表示して、その後の処理を終了したり、再度画像データの送信を要求したりする構成としてもよい。また、後日（例えば、後述する契約書４４などを返送するとき）、住所変更を証明できる書面の送付を促すメッセージなどを表示して、その後の処理を継続する構成としてもよい。
【００４７】
申込番号生成手段２２Ｅは、照合手段２２Ｄから住所情報が一致した旨の通知を受けて、申込番号を生成し、申込情報と関連付けて記憶装置２３に格納する手段である。本実施形態において「関連付け」とは、カードＤＢ２５中の同じレコード内に各情報を格納していくことをいう。すなわち、申込番号を申込情報と関連付けて格納するとは、申込情報が格納された申込情報フィールド２５Ａと同じレコードにある申込番号フィールド２５Ｃに申込番号を格納することを意味する。
【００４８】
申込番号生成手段２２Ｅは、生成した申込番号を、送信手段２２Ｂを介して携帯電話１０に送信するとともに、店舗用データ生成手段２２Ｆおよび２次元コード取得手段２２Ｇに転送する。
【００４９】
店舗用データ生成手段２２Ｆは、申込番号からバーコードデータ（識別コードデータ）を生成するとともに、カードＤＢ２５の申込情報フィールド２５Ａに格納された申込情報を読み出して店舗用申込情報を生成する。そして、これらを店舗用データとして、送信手段２２Ｂを介して店舗端末３０（店舗側ＤＢ３１。図１参照）に送信する手段である。
【００５０】
ここで、「店舗用申込情報」とは、店舗側において、商品を管理するために必要な情報や交付すべきカードを特定するのに必要な情報であり、例えば、利用者の氏名、住所、申込番号などである。
【００５１】
２次元コード取得手段２２Ｇは、２次元コードを取得して、申込番号生成手段２２Ｅから転送された申込番号と関連付けて記憶装置２３に格納する手段である。具体的には、申込番号が格納された申込番号フィールド２５Ｃと同じレコードにある２次元コードフィールド２５Ｄに、取得した２次元コードに含まれる所定の番号を格納する。
【００５２】
ここで、２次元コードの「取得」方法について説明する。一つの取得方法としては、後述するカードパッケージ４０が利用者からの申込前に予め作成（準備）されている場合で、カードパッケージ４０が持つ２次元コードと２次元コードに１対１で対応するカード番号とを記憶装置２３に予め格納しておき、これを読み出して取得する方法である。この場合、２次元コード取得手段２２Ｇは、申込番号の転送を受けて記憶装置２３から一対の２次元コードとカード番号とを読み出し、申込番号と関連付けてカードＤＢ２５（２次元コードフィールド２５Ｄおよびカード番号フィールド２５Ｅ）に格納する。
【００５３】
また、他の取得方法としては、後述するカードパッケージ４０を利用者からの申込があった後に作成する場合で、２次元コードを生成して取得する方法である。この場合、２次元コード取得手段２２Ｇは、申込番号の転送を受けて２次元コードを生成し、申込番号と関連付けてカードＤＢ２５に格納する。このとき、同時に２次元コード取得手段２２Ｇが、カード番号も生成し、２次元コードと関連付けてカードＤＢ２５（カード番号フィールド２５Ｅ）に格納するようにするとよい。その後、公知のカード作成手法により、２次元コードとカード番号をカードに印刷して、カードパッケージ４０が作成される。
【００５４】
カード有効化手段２２Ｈは、携帯電話１０から送信された２次元コード（２次元コードに含まれる所定の番号）を、受信手段２２Ａを介して受信し、対応する２次元コードを有するカードＤＢ２５中のカード状態情報フィールド２５Ｆを無効状態から有効状態に書き換える手段である。なお、カード状態情報フィールド２５Ｆには、同じレコードにある申込情報フィールド２５Ａに申込情報が格納された段階、証明書住所フィールド２５Ｂに身分証明書の住所情報が格納された段階、または、申込番号フィールド２５Ｃに申込番号が格納された段階のいずれかの時点で、無効状態と書き込まれる。
【００５５】
＜店舗端末＞
図５は店舗端末の構成を示す図である。
【００５６】
図５に示すように、店舗端末３０は、店舗用データが格納される記憶部の一例である店舗側データベース（以下、店舗側ＤＢという。）３１と、利用者が操作する店舗操作端末３２と、店員が操作する店舗管理端末３３とから主に構成されている。本実施形態における店舗の例としては、コンビニエンスストアなどを挙げることができる。
【００５７】
店舗側ＤＢ３１は、カード有効化装置２０から送信された店舗用データ（店舗用申込情報およびバーコードデータ）や、店舗側の商品管理情報などを格納している。本実施形態において、店舗側ＤＢ３１は、各店舗に設置されたコンピュータ内に設けられていてもよいし、店舗側の商品管理情報などを一元管理する管理センターなどに設置されたサーバ装置内に設けられていてもよい。
【００５８】
店舗操作端末３２は、例えば、コンビニエンスストアに設置されるマルチメディアステーション（マルチメディアキオスク（ＭＭＫ））などであって、ＣＰＵからなる処理部３２Ａと、処理部３２Ａで実行されるプログラムなどを格納する記憶部３２Ｂと、ディスプレイ装置３２Ｃと、入力部の一例である入力キー３２Ｄと、印刷部の一例であるレシートプリンタ３２Ｅとから主に構成されている。
【００５９】
この店舗操作端末３２は、入力キー３２Ｄにより申込番号が入力されると、与えられたプログラムに従い処理部３２Ａがデータ取得部として機能し、店舗側ＤＢ３１にアクセスして、バーコードデータと店舗用申込情報に含まれる氏名情報を取得する。そして、処理部３２Ａが取得したバーコードデータと氏名情報の印刷命令を出し、レシートプリンタ３２Ｅが利用者の氏名とバーコード３４Ａが印刷されたレシート３４（図１参照）を発行することができる。
【００６０】
店舗管理端末３３は、例えば、コンビニエンスストアに設置されるＰＯＳレジスタなどであって、ＣＰＵからなる処理部３３Ａと、処理部３３Ａで実行されるプログラムなどを格納する記憶部３３Ｂと、表示部の一例であるディスプレイ装置３３Ｃと、入力キー３３Ｄと、読取部の一例であるバーコードスキャナ３３Ｅとから主に構成されている。
【００６１】
この店舗管理端末３３は、バーコードスキャナ３３Ｅがレシート３４に印刷されたバーコード３４Ａを読み取ると、処理部３３Ａが店舗側ＤＢ３１にアクセスして商品管理情報を検索し、バーコード３４Ａに対応するカードパッケージ４０の情報（店舗側の商品管理番号や利用者の氏名など）をディスプレイ装置３３Ｃに表示することができる。
【００６２】
＜カードパッケージ＞
図６はカードパッケージの構成を示す図である。
【００６３】
カードパッケージ４０は、カード番号が表示された無効状態のカード４１と、カード番号に固有の２次元コード４２が印刷された台紙４３と、カード契約用の契約書４４と、契約書４４などを返送するための返送用封筒４５とが主に封入されたパッケージである。なお、２次元コードの例としては、ＱＲコード（登録商標）などを挙げることができる。
【００６４】
ここで、「カード番号に固有の２次元コード」とは、カード番号と２次元コードとが、カードＤＢ２５で互いに１対１で関連付けられていることをいい、具体的には、２次元コードが格納された２次元コードフィールド２５Ｄと同じレコードにあるカード番号フィールド２５Ｅに、１対１で対応するカード番号が格納されていることをいう。
【００６５】
このカードパッケージ４０は、コンビニエンスストアなどの店舗に予め発送されており、利用者は所望の時間に店舗へ出向き、そこでカードパッケージ４０を受領することになる。なお、カードパッケージ４０を受け取る店舗は、携帯電話１０でカード契約を申し込む際に同時に指定できるように、予め申込画面に受け取り店舗を指定する項目を設けておくことで利用者自身が決めることができる。
【００６６】
＜ＡＴＭ＞
ＡＴＭ５０は、金融機関やコンビニエンスストア、駅、スーパーマーケットなどに設置された公知のＡＴＭ（現金自動預払機）やＣＤ（現金自動支払機）などである。詳細な構成は図示しないが、ＡＴＭ５０は、カード４１が使用されると、専用のネットワークＮ３を介してカード有効化装置２０にカード状態情報の提供を要求する。カード４１が無効状態である場合、ＡＴＭ５０は処理を終了する。カード４１が有効状態である場合は、通常の処理を実行して現金の払い出しを行う。
【００６７】
［動作］
次に、本実施形態のカード発行システム１の動作について説明する。図７は本発明の一実施形態に係るカード発行システムの動作を示すフローチャートであり、図８（ａ）〜（ｅ）はカードデータベースの経時変化を示す図である。
【００６８】
まず、利用者は、携帯電話１０を操作して、液晶ディスプレイ１４にカード契約の申込画面を表示する。そして、入力キー１５を操作して申込画面の申込情報入力フォームに氏名、住所およびその他必要な事項を入力し、入力した申込情報をカード有効化装置２０に送信する（ステップＳ１）。また、利用者は、カードパッケージ４０を受け取る店舗を入力（選択）して送信する。なお、受け取り店舗の選択は、後述する利用者が身分証明書の画像データをカード有効化装置２０に送信する段階で行うようにしてもよい。
【００６９】
送信された申込情報は、カード有効化装置２０の受信手段２２Ａが受信して、図８（ａ）に示すように、カードＤＢ２５の申込情報フィールド２５Ａの各フィールド（氏名フィールド２５Ｇ、住所フィールド２５Ｈなど）に、利用者の氏名や住所などをそれぞれ格納する（ステップＳ２）。
【００７０】
次に、審査手段２２Ｃが、カードＤＢ２５から申込情報を読み出し、これに基づいて信用情報ＤＢ２６から信用情報を取得し、取得した信用情報に基づいて申し込みを行った利用者に対して与信ができるか否かを審査する。そして、審査結果を、送信手段２２Ｂを介して携帯電話１０に送信する（ステップＳ３）。
【００７１】
与信ができない場合には、携帯電話１０の液晶ディスプレイ１４に、その旨の内容が表示され、処理は終了する。
【００７２】
与信ができる場合には、携帯電話１０の液晶ディスプレイ１４に、免許証などの身分証明書を撮影して送信するように依頼する内容が表示される。利用者は、携帯電話１０を操作して、カメラ１６で身分証明書の写真と住所を含む部分を撮影し、作成した身分証明書の画像データをカード有効化装置２０に送信する（ステップＳ４）。
【００７３】
なお、与信ができる旨の審査結果が通知されるときには、審査手段２２Ｃから審査結果とともに契約内容を表示させる情報が送信され、携帯電話１０の液晶ディスプレイ１４に契約内容が表示される。利用者は、契約内容を確認し、同意した上で身分証明書の画像データを送信する。
【００７４】
送信された画像データは、受信手段２２Ａが受信して、住所情報を抽出し、図８（ｂ）に示すように、申込情報が格納された申込情報フィールド２５Ａと同じレコードの証明書住所フィールド２５Ｂに格納する（ステップＳ５）。
【００７５】
次に、照合手段２２Ｄが、カードＤＢ２５の住所フィールド２５Ｈから申込情報の住所情報を読み出すとともに、証明書住所フィールド２５Ｂから身分証明書の住所情報を読み出して照合する（ステップＳ６）。照合の結果、申込情報の住所情報と身分証明書の住所情報とが不一致であった場合（ステップＳ７，ＮＯ）、照合手段２２Ｄは、その旨を、送信手段２２Ｂを介して携帯電話１０に送信する。携帯電話１０の液晶ディスプレイ１４には、申込情報の住所情報と身分証明書の住所情報とが不一致である旨と、再度、身分証明書を撮影して送信するように依頼する内容が表示される。
【００７６】
なお、申込情報の住所情報と身分証明書の住所情報とが不一致であった場合や、再送信された身分証明書の住所情報と申込情報の住所情報とが不一致であった場合などには、処理を終了することとしてもよい。また、申込情報の住所情報と身分証明書の住所情報とが不一致であった場合、携帯電話１０の液晶ディスプレイ１４に、後日住所変更を証明できる書面の送付を促すメッセージを表示して、その後の処理を継続することとしてもよい。
【００７７】
申込情報の住所情報と身分証明書の住所情報とが一致した場合には、照合手段２２Ｄが、その旨を申込番号生成手段２２Ｅに通知する（ステップＳ７，ＹＥＳ）。
【００７８】
次に、申込番号生成手段２２Ｅが、申込番号を生成し、図８（ｃ）に示すように、申込情報が格納された申込情報フィールド２５Ａと同じレコードの申込番号フィールド２５Ｃに格納する。さらに、生成した申込番号を、送信手段２２Ｂを介して携帯電話１０に通知するとともに、店舗用データ生成手段２２Ｆおよび２次元コード取得手段２２Ｇに通知する（ステップＳ８）。
【００７９】
また、この段階で、同じレコードのカード状態情報フィールド２５Ｆに、無効状態を示す「０」が書き込まれる。なお、このようなカード状態情報フィールド２５Ｆへのカード状態の書き込みは、申込情報が申込情報フィールド２５Ａに格納されたとき、または、身分証明書の住所情報が証明書住所フィールド２５Ｂに格納されたときなどに行うこととしてもよい。
【００８０】
次に、店舗用データ生成手段２２Ｆが、通知された申込番号からバーコードデータを生成するとともに、申込情報フィールド２５Ａから申込情報を読み出して店舗用申込情報（利用者の氏名を含む）を生成する。そして、申込番号、バーコードデータおよび店舗用申込情報を店舗用データとして、送信手段２２Ｂを介して店舗端末３０に送信する（ステップＳ９）。店舗端末３０は、店舗側ＤＢ３１に店舗用データを格納する（ステップＳ１０）。
【００８１】
また、２次元コード取得手段２２Ｇが、２次元コードを取得して、図８（ｄ）に示すように、２次元コードに含まれる所定の番号を、申込番号が格納された申込番号フィールド２５Ｃと同じレコードの２次元コードフィールド２５Ｄに格納する（ステップＳ１１）。さらに、２次元コード取得手段２２Ｇが、カード番号を取得して、図８（ｄ）に示すように、２次元コードに含まれる所定の番号が格納された２次元コードフィールド２５Ｄと同じレコードのカード番号フィールド２５Ｅに格納する。
【００８２】
ここで、カード番号の取得には、カード番号（カードパッケージ４０）が予め生成（作成）されているか否かで、以下の方法を採用することができる。まず、カード番号が予め（利用者の申し込みの前に）生成されている場合には、記憶装置２３に２次元コードと一対にして格納しておき、２次元コード取得手段２２Ｇが、２次元コードとともに読み出して取得し、カード番号フィールド２５Ｅに格納する。一方、利用者が申し込みをする段階でカード番号が生成されていない場合、２次元コード取得手段２２Ｇが、生成して取得し、２次元コードと関連付けてカード番号フィールド２５Ｅに格納する。
【００８３】
以上の処理が実行されたら、予め作成されたカードパッケージ４０を、または、カードパッケージ４０を新たに作成して、利用者が受け取る店舗として指定した店舗（コンビニエンスストアなど）に配送する。なお、記憶装置２３には、提携する店舗の情報（店舗情報）が予め格納されており、この店舗情報に基づいてカードパッケージ４０が配送される。
【００８４】
利用者は、申込情報とともに通知された指定日以降に選択した店舗（コンビニエンスストアなど）へ行き、店舗操作端末３２を操作して申込番号を入力する（ステップＳ１２）。そうすると、店舗操作端末３２が、店舗側ＤＢ３１からバーコードデータと氏名情報の印刷命令を取得して、利用者の氏名とバーコード３４Ａが印刷されたレシート３４を発行する（ステップＳ１３）。
【００８５】
利用者は、レシート３４を店員に提示する。店員は、レシート３４を店舗管理端末３３のバーコードスキャナ３３Ｅを使用してバーコード３４Ａを読み取る（ステップＳ１４）。そうすると、店舗管理端末３３が、読み取ったバーコード３４Ａに対応するカードパッケージ４０の情報をディスプレイ装置３３Ｃに表示する（ステップＳ１５）。店員は、ディスプレイ装置３３Ｃの表示を確認して、該当するカードパッケージ４０を利用者に引き渡す。
【００８６】
カードパッケージ４０を受け取った利用者は、カードパッケージ４０の台紙４３に印刷された２次元コード４２を、携帯電話１０のカメラ１６で読み取り、カード有効化装置２０に送信する（ステップＳ１６）。
【００８７】
送信された２次元コード（２次元コードに含まれる所定の番号）は、受信手段２２Ａが受信して、カード有効化手段２２Ｈに通知する（ステップＳ１７）。そして、カード有効化手段２２Ｈが、図８（ｅ）に示すように、送信された２次元コード（２次元コードに含まれる所定の番号）を有するカードＤＢ２５中のカード状態情報フィールド２５Ｆを無効状態を示す「０」から、有効状態を示す「１」に書き換える（ステップＳ１８）。これにより、カード４１は有効状態となり、利用者は、カード４１を使用してＡＴＭ５０から現金を引き出すことが可能となる。
【００８８】
なお、利用者は、所定の期日までにカードパッケージ４０に含まれる契約書４４を記入し、身分証明書のコピーなどとともに、返送用封筒４５で、カード事業者に返送する。契約書４４などが所定の期日までに返送されない場合には、カード有効化手段２２Ｈが、該当するカード番号を有するカードＤＢ２５中のカード状態情報フィールド２５Ｆを有効状態を示す「１」から、無効状態を示す「０」に書き換える。これにより、カード４１がＡＴＭ５０で利用できない状態（無効状態）となる。
【００８９】
以上によれば、本実施形態において以下のような効果を得ることができる。
【００９０】
携帯電話１０に申込情報を送信し、カードパッケージ４０を店舗（コンビニエンスストアなど）に配送することで、利用者は都合の良いとき、すなわち、書留郵便の場合のように休日などまで待つことなく、早期にカードパッケージ４０を受領することができる。
【００９１】
バーコード３４Ａが印刷されたレシート３４をバーコードスキャナ３３Ｅで読み取ることで、店舗管理端末３３のディスプレイ装置３３Ｃにカードパッケージ４０の情報が表示されるので、経験が浅い店員であっても、確実かつ短時間にカードパッケージ４０を引き渡すことができる。
【００９２】
カードパッケージ４０を早期に受領することができるとともに、カード受領後、台紙４３に印刷された２次元コード４２を読み取って送信するだけで、カード４１を有効状態として登録するので、従来と比較して与信が可能となるまでの時間を短縮することができる。
【００９３】
カード有効化装置２０が与信の可否を審査するとともに、利用者から送信された画像データによって本人確認を行うので、電話などで人が審査・本人確認を行う場合と比較して、短時間で申し込みを完了させることができる。結果として、利用者は、早期にカードパッケージ４０を受領することができる。また、審査・本人確認が対面形式（電話などを含む）ではないので、利用者は自己の都合の良いときに与信の申し込みを行い、完了させることができる。
【００９４】
カード事業者は、少なくともカード有効化装置２０のみを備えればよく、店舗端末３０は、コンビニエンスストアなどの既存の設備を利用することができるので、設備コストを抑制することが可能となる。また、店舗側（コンビニエンスストアなど）は、新たな設備の設置や、店員に新たな技能を習得させる必要などがないので、導入が容易である。
【００９５】
以上、本発明の実施形態について説明したが、本発明は前記した実施形態に限定されるものではない。具体的な構成については、本発明の趣旨を逸脱しない範囲で適宜変更が可能である。
【００９６】
前記した実施形態では、利用者が申込番号を店舗操作端末３２に入力してバーコード３４Ａが印刷されたレシート３４を取得する形態を示したが、これに限定されるものではない。例えば、店舗用データ生成手段２２Ｆが、生成したバーコードデータを送信手段２２Ｂを介して、店舗端末３０だけでなく、携帯電話１０にも送信する。バーコードデータを受信した携帯電話１０は、利用者の操作により、液晶ディスプレイ１４にバーコードを表示する。利用者は、バーコードが表示された液晶ディスプレイ１４を店員に提示して、店舗操作端末３２で読み取ってもらい、カードパッケージ４０を受領する。これによれば、利用者は店舗において店舗操作端末３２（ＭＭＫなど）を操作することなく、より短時間にカードパッケージを受領することができる。
【００９７】
前記した実施形態では、利用者端末の一例として携帯電話１０を示したが、これに限定されず、例えば、図９に示すようなパーソナルコンピュータ６０であってもよい。パーソナルコンピュータ６０は、ＣＰＵからなる処理部６１と、処理部６１で実行されるプログラムなどを格納する記憶部６２と、ネットワークＮ１（図１参照）と通信を行う通信部６３と、モニタ６４と、入力部の一例であるキーボード６５およびマウス６６と、画像作成部の一例であるスキャナ６７と、読取部の一例である２次元コードスキャナ６８と、出力部の一例であるプリンタ６９とから主に構成されている。
【００９８】
このパーソナルコンピュータ６０は、利用者の操作により、図示しないウェブサーバにアクセスしてカード契約の申込画面をモニタ６４に表示する。そして、キーボード６５やマウス６６により申込画面の申込情報入力フォームに必要な事項（氏名と住所を含む）が入力され、通信部６３およびネットワークＮ１を介して申込情報をカード有効化装置２０に送信することができる。また、スキャナ６７で身分証明書の画像データを作成し、カード有効化装置２０に送信することができる。また、２次元コードスキャナ６８で２次元コードを読み取り、カード有効化装置２０に送信することができる。
【００９９】
さらに、前記したように、利用者端末が店舗用データ生成手段２２Ｆからバーコードデータを受信する構成の場合、プリンタ６９でバーコードを印刷することができる。この場合、利用者は、バーコードを印刷した用紙などを店員に提示して、店舗操作端末３２で読み取ってもらい、カードパッケージ４０を受領する。これによっても、利用者は店舗において店舗操作端末３２（ＭＭＫなど）を操作することなく、より短時間にカードパッケージを受領することができる。
【０１００】
なお、利用者端末は、携帯電話１０とパーソナルコンピュータ６０を併用するものであってもよい。例えば、申込情報や画像データの送信をパーソナルコンピュータ６０が実行し、２次元コードの読み取り・送信を携帯電話１０が実行してもよい。
【０１０１】
前記した実施形態では、バーコードを店員に提示して店舗操作端末３２で読み取ってもらい、カードパッケージ４０を受領する形態を示したが、これに限定されるものではない。店舗側ＤＢ３１は、店舗用データの一部として申込番号を格納しているので、利用者が店員に申込番号を伝え、店舗操作端末３２の入力キー３３Ｄで入力してもらい、カードパッケージ４０を受領する形態であってもよい。このとき、店舗管理端末３３は、入力キー３３Ｄで申込番号が入力されると、処理部３３Ａが店舗側ＤＢ３１にアクセスして商品管理情報を検索し、申込番号に対応するカードパッケージ４０の情報をディスプレイ装置３３Ｃに表示する。
【０１０２】
前記した実施形態では、２次元コードに含まれる所定の番号を２次元コードフィールド２５Ｄに格納し、これを利用して処理を実行する例を示したが、これに限定されるものではない。例えば、２次元コードに含まれる（２次元コードに含めた）利用者の氏名や住所、申込番号などの少なくとも１つを２次元コードフィールド２５Ｄに格納し、これを利用して処理を実行するようにしてもよい。
【０１０３】
前記した実施形態では、身分証明書を、携帯電話１０のカメラ１６で撮影して送信する例や、パーソナルコンピュータ６０のスキャナ６７で画像データを作成して送信する例を示したが、これに限定されるものではない。例えば、身分証明書（またはそのコピー）をファクシミリ装置などで送信し受信手段２２Ａが情報を取得したり、カメラまたはスキャナ付きのＭＭＫなどで撮影または取り込んで送信し受信手段２２Ａが情報を取得したりするようにしてもよい。
【０１０４】
前記した実施形態では、カードパッケージの一例として契約書４４と返送用封筒４５が同封されたカードパッケージ４０を示したが、これに限定されるものではない。例えば、店舗で引き渡されるカードパッケージは、無効状態のカードと２次元コードが印刷された台紙が主に封入されたものとし、契約書や返送用封筒などは利用者に対して別途郵送する構成としてもよい。なお、別途郵送される書類などの中に、カード番号に固有の２次元コードを付しておき、利用者がこの２次元コードを送信することで受け取り確認がなされる構成とすることもできる。
【０１０５】
前記した実施形態では、カード番号に固有の２次元コード４２がカードパッケージ４０の台紙４３に印刷された例を示したが、これに限定されず、例えば、カード番号に固有の２次元コードが、カードに表示（印刷）されていてもよい。具体的には、カードの表面にカード番号が表示され、裏面にカード番号に固有の２次元コードが表示される。
【０１０６】
前記した実施形態では、特に記載していないが、リスクコントロールの観点から以下のような構成を追加することができる。すなわち、カードを有効状態とした段階では、まず与信枠の一部を利用可能（ＡＴＭからの出金などを可能）とし、カードパッケージに同封された契約書などが返送された段階や、別途郵送された契約書などの受け取り確認がなされた段階で与信枠の全部を利用可能（ＡＴＭからの出金などを可能）とするように構成することができる。また、カードを有効状態とした段階で、まず利用者が予め指定した本人名義の銀行口座に与信枠の一部の振り込みを実行し、指定された銀行口座の実在（振込着金）が確認された段階で与信枠の全部を利用可能とするように構成することもできる。
【０１０７】
前記した実施形態では、ローンカード事業者やクレジットカード事業者などのカード事業者が取り扱うカードの有効化を例に本発明を説明したが、本発明の適用はこれに限定されるものではない。すなわち、本発明は、銀行業務や証券業務などを行う金融機関が取り扱うカードや、その他のサービス事業者が取り扱う顧客カード（例えば、会員証）などの発行受付、カード配布にも利用することができる。
【図面の簡単な説明】
【０１０８】
【図１】本発明の一実施形態に係るカード発行システムの構成を示す図である。
【図２】本発明の利用者端末の一例である携帯電話の構成を示す図である。
【図３】本発明の一実施形態に係るカード有効化装置の構成を示す図である。
【図４】本発明のカードデータベースの一例を示す図である。
【図５】本発明の一実施形態に係る店舗端末の構成を示す図である。
【図６】本発明の一実施形態にカードパッケージの構成を示す図である。
【図７】本発明の一実施形態に係るカード発行システムの動作を示すフローチャートである。
【図８】（ａ）〜（ｅ）はカードデータベースの経時変化を示す図である。
【図９】本発明の利用者端末の他の例であるパーソナルコンピュータの構成を示す図である。
【符号の説明】
【０１０９】
１      カード発行システム
１０    携帯電話
１３    通信部
１４    液晶ディスプレイ
１５    入力キー
１６    カメラ
２０    カード有効化装置
２１    通信装置
２２    処理装置
２２Ａ  受信手段
２２Ｂ  送信手段
２２Ｃ  審査手段
２２Ｄ  照合手段
２２Ｅ  申込番号生成手段
２２Ｆ  店舗用データ生成手段
２２Ｇ  ２次元コード取得手段
２２Ｈ  カード有効化手段
２３    記憶装置
２４    プログラム
２５    カードデータベース
３０    店舗端末
３１    店舗側データベース
３２    店舗操作端末
３２Ａ  処理部
３２Ｄ  入力キー
３２Ｅ  レシートプリンタ
３３    店舗管理端末
３３Ｃ  ディスプレイ装置
３３Ｅ  バーコードスキャナ
４０    カードパッケージ
４１    カード
４２    ２次元コード
６０    パーソナルコンピュータ
６３    通信部
６５    キーボード
６６    マウス
６７    スキャナ
６８    ２次元コードスキャナ
６９    プリンタ
【図１】
2009146170.tif 000003
【図２】
2009146170.tif 000004
【図３】
2009146170.tif 000005
【図４】
2009146170.tif 000006
【図５】
2009146170.tif 000007
【図６】
2009146170.tif 000008
【図７】
2009146170.tif 000009
【図８】
2009146170.tif 000010
【図９】
2009146170.tif 000011